(57)【要約】【課題】冷陰極蛍光ランプを取り付けたランプホルダを表示装置に手間なく簡便に、且つ確実に正しく装着させることを目的とする。【解決手段】ランプ電線２３を引き出すランプ電線引出部を有し、ランプ管２１の両端から出ている電極引出線を絶縁保護する絶縁キャップ２２を備えてなる冷陰極蛍光ランプ６において、絶縁キャップ２２のランプ電線引出部とは反対側略半円弧状に形成したので、冷陰極蛍光ランプ６をランプホルダ５内に取り付けて光源装置２を形成した後に光源装置２を表示装置３に装着する場合に、ランプホルダ５内で冷陰極蛍光ランプ６自体が回転したとしても、冷陰極蛍光ランプ６の絶縁キャップ２２が表示装置３の表示板ケース３３の上端面と干渉することはなく、光源装置２の表示装置３への装着は容易且つ正しく装着される。【選択図】        図１
2004281323.tif 000002
【特許請求の範囲】
【請求項１】
ランプ電線を引き出すランプ電線引出部を有し、ランプ管の両端から出ているランプ電極引出線を絶縁保護する絶縁キャップを備えてなる冷陰極ランプにおいて、
前記絶縁キャップのランプ電線引出部とは反対側を略半円弧状に形成したことを特徴とする冷陰極ランプ。
【請求項２】
ランプ電線を引き出すランプ電線引出部を有し、ランプ管の両端から出ているランプ電極引出線を絶縁保護する絶縁キャップを備えてなる冷陰極ランプにおいて、
前記絶縁キャップを角筒状に形成したことを特徴とする冷陰極ランプ。
【請求項３】
前記請求項１又は２のいずれか記載の冷陰極ランプと、該冷陰極ランプを収納するランプホルダとを備え、
該ランプホルダ内の両端側に設けられたランプ保持具を該冷陰極ランプの絶縁キャップのランプ管端部を覆う部分の一部と同形状に形成し、該ランプ保持具が該絶縁キャップのランプ管端部を覆う部分を保持することを特徴とする光源装置。
【請求項４】
前記請求項３記載の光源装置が装着される表示装置は、表示パネルと、表示パネルの背面に設けられた導光板と、導光板が設けられた表示パネルを収納する表示板ケースとを備え、
前記表示板ケースの両側部上端側に前記光源装置のランプホルダの両側壁内面を嵌合させた際に、前記ランプホルダに収納された冷陰極ランプの中心軸から絶縁キャップの最遠部までの距離が冷陰極ランプの中心軸から前記表示板ケースの上端面までの距離より少し短くなるように設定したことを特徴とする請求項３記載の表示装置。
【請求項５】
前記表示装置の表示パネルに誘導灯のピクトグラムを表示したことを特徴とする請求項４記載の表示装置。
【請求項６】
前記請求項３記載の光源装置を装着した前記４又は５のいずれか記載の表示装置を、前記光源装置の冷陰極ランプを点灯させる点灯装置を内蔵した器具本体に取り付けて構成したことを特徴とする誘導灯装置。
【発明の詳細な説明】
【０００１】
【発明の属する技術分野】
本発明は例えば冷陰極ランプ、冷陰極ランプを有する光源装置、光源装置が装着された表示装置及びこれらを組み立てた誘導灯装置に関するものである。
【０００２】
【従来の技術】
従来の誘導灯装置においては、器具本体の開口部を閉塞するように表示手段を取り付け、その表示手段は表示パネルと、表示パネルの表面に表示された誘導灯のピクトグラムと、表示パネルの背面に設けられた導光板からなり、その表示手段の上部の一辺にランプホルダが装着され、そのランプホルダに直管型の蛍光ランプ及び蛍光ランプからの光を導光板方向に反射する断面略Ｕ字型の反射板が取り付けられているから、蛍光ランプからの光が導光板に照射され、導光板に入射した光が屈折してピクトグラムに出力され、ピクトグラムが誘導表示を行うようにしている（例えば、特許文献１参照）。
その誘導灯装置の表示手段の上部の一辺に装着されるランプホルダに取り付けられる光源の直管型の蛍光ランプとして、例えば日本電球工業界規格ＪＥＬ２１６の非常時用冷陰極蛍光ランプが一般に用いられている。
その非常時用冷陰極蛍光ランプでコネクタ有りタイプのものは、ランプ管の両端から出ているランプ電極引出線を絶縁保護するために、ランプ管の両端がシリコーン等の絶縁キャップで覆われており、その絶縁キャップはランプ管の両端側とラップしている円筒状の被覆部と、その被覆部に連設してランプ電極引出線を電線に接続させるための直方体状のソケット部とを有して構成されている（例えば、非特許文献１参照）。
【０００３】
【特許文献１】
特許第３２４６５５５号公報（第２〜第３及び５頁、図１）
【非特許文献１】
「日本電球工業会規格」日本電球工業会出版、１９９８年４月１０日、ｐ．４０−４５
【０００４】
【発明が解決しようとする課題】
従来の誘導灯装置の表示手段の上部の一辺に嵌め込み装着されるランプホルダにコネクタ有りタイプの非常時用冷陰極蛍光ランプを取り付けする場合に、ランプホルダの両側に設けられたＣ字状のランプ保持具に非常時用冷陰極蛍光ランプの絶縁キャップの円筒状の被覆部に嵌め込むことによってランプホルダに非常時用冷陰極ランプが取り付けられる。
このとき、ランプホルダの底部に対して非常時用冷陰極蛍光ランプの絶縁キャップの直方体状のソケット部の底面が平行なるように配設するが、そのソケット部に接続されたランプ電線のランプホルダへの配線作業のときに、ランプホルダ内で非常時用冷陰極蛍光ランプが回転し、絶縁キャップのソケット部の底面がランプホルダの底部に対して斜めになると、ランプホルダーを表示手段に嵌め込み装着する際に、絶縁キャップのソケット部の角が表示手段の上部の一辺に干渉してしまい、ランプホルダーを表示手段に装着できないという問題点があった。
また、その場合にランプホルダーを表示手段に装着するためには、非常時用冷陰極蛍光ランプを回転して絶縁キャップのソケット部の底面がランプホルダの底部に対して平行になるようにしなければならず、手間がかかるという問題点もあった。
また、非常時用冷陰極蛍光ランプと表示手段の上部の一辺との距離が遠くなるようにランプホルダに非常時用冷陰極蛍光ランプを取り付けるようにすれば、上記の問題点は解消されるが、そうすると非常時用冷陰極蛍光ランプと表示手段の導光板との距離も遠くなってしまい導光板が非常時用冷陰極蛍光ランプの光を充分に利用できなくなるという新たな問題が生じていた。
【０００５】
本発明は、このような問題点を解決するためになされたものであり、冷陰極蛍光ランプを取り付けたランプホルダを表示手段に手間なく簡便に、且つ確実に正しく装着させることができる冷陰極ランプ、光源装置、表示装置及び誘導灯装置を提供することを目的とする。
【０００６】
【課題を解決するための手段】
本発明に係る冷陰極ランプは、ランプ電線を引き出すランプ電線引出部を有し、ランプ管の両端から出ているランプ電極引出線を絶縁保護する絶縁キャップを備えてなる冷陰極ランプにおいて、前記絶縁キャップのランプ電線引出部とは反対側を略半円弧状に形成したものである。
【０００７】
【発明の実施の形態】
図１は本発明の実施の形態１に係る誘導灯装置の光源装置の構成を示す分解斜視図、図２は同光源装置のランプホルダに冷陰極蛍光ランプを取り付ける過程を示す断面図、図３は同光源装置を表示装置に装着する過程を示す斜視図、図４は同光源装置を表示装置に装着した状態を示す背面図、図５は図４のＡ−Ａ線断面図、図６は図４のＢ−Ｂ線断面図、図７は同光源装置を表示装置に装着する別の過程を示す斜視図、図８は同光源装置を装着した表示装置と器具本体とを示す斜視図である。
誘導灯装置は、開口部を有する箱状の器具本体１と、細長い直方体状の光源装置２と、扁平な箱形の表示装置３とからなる。そして、光源装置２が一体に装着された表示装置３を器具本体１に装着して誘導灯装置が構成される（図８参照）。
【０００８】
図１に示される光源装置２はランプホルダ５と、ランプホルダ５に収納状態に取り付けられるコネクタ有りタイプの冷陰極蛍光ランプ６とで構成されている。
ランプホルダ５は、開口部を有する細長い直方体状のホルダケース１１と、ホルダケース１１内に適宜間隔を置いて設けられた複数の鉤状のリフレクタ保持具１２と、ホルダケース１１内に複数の鉤状のリフレクタ保持具１２によって保持された断面Ｕ字状のリフレクタ１３と、ホルダケース１１内の両側にそれぞれ設けられた鉤状のランプ保持具１４とを有して構成されている。また、そのホルダケース１１の両側部下端側の内面に嵌合凹部１５が設けられている。
【０００９】
また、冷陰極蛍光ランプ６は、ガラスで形成された円筒状のランプ管２１と、ランプ管２１の両端から出ているランプ電極引出線を絶縁保護するシリコーン等の絶縁キャップ２２と、絶縁キャップ２１内のランプ電極引出線と一端側が接続されたランプ電線２３と、ランプ電線２３の他端側と接続されたコネクタ２４とからなる。
その絶縁キャップ２２はランプ管２１の端部側を覆う円筒状の被覆部２２ａと、被覆部２２ａに連設してランプ電極引出線をランプ電線に接続させるためのソケット部２２ｂとからなり、ソケット部２２ｂはランプ電線２３を引き出す直方体形状のランプ電線引出部を有し、ランプ電線引出部とは反対側は略半円弧状に形成されている。
【００１０】
さらに、図３〜図５に示される表示装置３は、表面に誘導灯のピクトグラムが表示され、側壁を有する表示パネル３１と、表示パネル３１の背面に設けられた導光板３２と、導光板３２が設けられた表示パネル３１を収納する表示板ケース３３とを有して構成されている。その表示板ケース３３の両側部上端側がランプホルダ５の両側部の厚み分だけ切欠されており、その切欠面に嵌合凸部３４が設けられている。
【００１１】
ランプホルダ５に設けられる嵌合凹部１５と表示板ケース３３に設けられる嵌合凸部２４との位置関係は、図６に示すようにランプホルダ５の嵌合凹部１５を表示板ケース３３の嵌合凸部３４に嵌合させてランプホルダ５を表示板ケース３３に嵌合状態に装着した場合に、ランプホルダ５に収納された冷陰極蛍光ランプ６の中心軸から絶縁キャップ２１の最遠部までの距離Ｘが冷陰極蛍光ランプ６の中心軸から表示板ケース３３の上端面までの距離Ｙより短く、即ちＸ＜Ｙとなる関係で、ＸとＹの差をできるだけ小さくするように設定する。
【００１２】
また、図８に示される誘導灯装置の開口部を有する箱状の器具本体１は、内部に冷陰極蛍光ランプ６を点灯させるための点灯装置４１と、常用電源用端子台４２と、背面補強板４３が設けられており、上部側壁には外部の電源線（図示省略）を挿通させる電源線挿通孔４４が形成されている。また、点灯装置４１にはランプ電線４５が接続されている。そのランプ電線４５の先端には、冷陰極蛍光ランプ６のコネクタ２４と接続自在とするコネクタ４６が接続されている。なお、その電源線挿通孔４４を挿通させられた電源線は常用電源用端子台４２に接続される。
【００１３】
次に、本発明の実施の形態１の誘導灯装置の組立について説明する。
まず、図１及び図２に示すように、冷陰極蛍光ランプ６をランプホルダ５に取り付ける。
この場合、冷陰極蛍光ランプ６の絶縁キャップ２２の被覆部２２ａをランプホルダ５のランプ保持具１４に保持させることにより、冷陰極蛍光ランプ６がランプホルダ５に収納状態に取り付けられる。このように冷陰極蛍光ランプ６がランプホルダ５に収納されて光源装置２が構成される。
次に、図３に示すように光源装置２を表示装置３に装着させる。
この場合、表示装置３の表示板ケース３３の上端側に光源装置２のランプホルダ５のホルダケース１１を挿入すると、図４及び図５に示すように表示板ケース３３の両側部上端側に設けられた嵌合凸部３４にホルダケース１１の両側部下端側に設けられた嵌合凹部１５が嵌合して表示装置３の表示板ケース３３に光源装置２のランプホルダ５が嵌合状態に装着される。
【００１４】
さらに、光源装置２が装着された表示装置３を器具本体１に装着して誘導灯装置が組み立てられる。
このように、誘導灯装置が組み立てられた場合、光源装置２の冷陰極ランプ６と表示装置３の表示板ケース３３の上端との関係は、光源装置２のランプホルダ５に収納された冷陰極蛍光ランプ６の中心軸から絶縁キャップ２２の最遠部までの距離Ｘが冷陰極蛍光ランプ６の中心軸から表示装置３の表示板ケース３３の上端面までの距離Ｙより短く、即ちＸ＜Ｙとなる関係で、ＸとＹの差をできるだけ小さくするように設定されているから、冷陰極蛍光ランプ６と表示装置３の導光板３２の上端面とは十分に近づけた位置関係にあるため、冷陰極蛍光ランプ６からの光を導光板３２が無駄なく利用することができる。
【００１５】
また、光源装置２を表示装置３に装着するために、冷陰極蛍光ランプ６の絶縁キャップ２２に接続されたランプ電線のランプホルダ５への配線作業を行うときに、図７に示すようにランプホルダ５内で冷陰極蛍光ランプ６自体が回転してしまうことがある。
このように、ランプホルダ５内で冷陰極蛍光ランプ６自体が回転したとしても、冷陰極蛍光ランプ６の両端部に設けられた絶縁キャップ２２のランプ管２１の端部側とラップしている円筒状の被覆部２２ａと連設しているソケット部２２ｂは、断面Ｕ字状であり、被覆部２２ａと連設する下部は半円弧状であり、しかも冷陰極蛍光ランプ６の中心軸から絶縁キャップの最遠部までの距離Ｘが冷陰極蛍光ランプ６の中心軸から表示装置３の表示板ケース３３の上端面までの距離Ｙより短いことにより、光源装置２を表示装置３に装着しても光源装置２の冷陰極蛍光ランプ６の絶縁キャップ２２が表示装置３の表示板ケース３３の上端面と干渉することはないため、光源装置２の表示装置３への装着は容易且つ正しく装着されることとなる。
さらに、表示装置３の表示パネルの表面に誘導灯のピクトグラムが表示されているから、組み立てられた誘導灯装置は誘導灯として機能することとなる。
【００１６】
図９は本発明の実施の形態２に係る光源装置の構成を示す分解斜視図、図１０は同光源装置のランプホルダに冷陰極蛍光ランプを取り付けた状態を示す斜視図である。
この実施の形態２で、本発明の実施の形態１と同様の構成は同一符号を付して重複した構成の説明を省略する。
この実施の形態２の冷陰極蛍光ランプ６の絶縁キャップ１２２の被覆部１２２ａは四角筒状とし、被覆部２２ａと連設しているソケット部１２２ｂの下部も被覆部１２２ａと同様に角筒状にしたものである。
【００１７】
また、絶縁キャップ１２２の被覆部１２２ａを保持するランプホルダ５のランプ保持具１１４も略コの字状にしたものである。なお、ランプ保持具１１４の形状は略Ｕの字状でも良い。
このように構成したことにより、ランプホルダ５の略コの字状のランプ保持具１１４に冷陰極蛍光ランプ６の絶縁キャップ１２２の直方体状の被覆部１２２ａが保持されるため、光源装置２の表示装置３への装着する場合に、冷陰極蛍光ランプ６自体が回転することはなく、冷陰極蛍光ランプ６と表示板ケース３３の上端面とを十分近づけた位置関係にあっても容易且つ正しく装着されることとなる。
【００１８】
【発明の効果】
以上のように本発明によれば、ランプ電線を引き出すランプ電線引出部を有し、ランプ管の両端から出ているランプ電極引出線を絶縁保護する絶縁キャップを備えてなる冷陰極ランプにおいて、前記絶縁キャップのランプ電線引出部とは反対側を略半円弧状に形成したので、冷陰極ランプをランプホルダ内に取り付けて光源装置を形成した後に該光源装置を表示装置に装着する場合に、ランプホルダ内で冷陰極ランプ自体が回転したとしても、冷陰極ランプの絶縁キャップが表示装置の表示板ケースの上端面と干渉することはないため、光源装置の表示装置への装着は容易且つ正しく装着されるという効果がある。
【図面の簡単な説明】
【図１】本発明の実施の形態１に係る誘導灯装置の光源装置の構成を示す分解斜視図。
【図２】図２は同光源装置のランプホルダに冷陰極蛍光ランプを取り付ける過程を示す断面図。
【図３】同光源装置を表示装置に装着する過程を示す斜視図。
【図４】同光源装置を表示装置に装着した状態を示す背面図。
【図５】図４のＡ−Ａ線断面図。
【図６】図４のＢ−Ｂ線断面図。
【図７】同光源装置を表示装置に装着する別の過程を示す斜視図。
【図８】同光源装置を装着した表示装置と器具本体とを示す斜視図。
【図９】本発明の実施の形態２に係る光源装置の構成を示す分解斜視図。
【図１０】同光源装置のランプホルダに冷陰極蛍光ランプを取り付けた状態を示す斜視図。
【符号の説明】
１  器具本体、２  光源装置、３  表示装置、５  ランプホルダ、６  冷陰極蛍光ランプ、２１  ランプ管、２２  絶縁キャップ、２２ａ  被覆部、２２ｂ  ソケット部、３１  表示パネル、３２  導光板、３３  表示板ケース、４１  点灯装置。
【図１】
2004281323.tif 000003
【図２】
2004281323.tif 000004
【図３】
2004281323.tif 000005
【図４】
2004281323.tif 000006
【図５】
2004281323.tif 000007
【図６】
2004281323.tif 000008
【図７】
2004281323.tif 000009
【図８】
2004281323.tif 000010
【図９】
2004281323.tif 000011
【図１０】
2004281323.tif 000012